(57)【要約】本発明は、関節窩部（１２）と、該関節窩部に相対的に関節接合されるよう意図された顆部（１４）とを備えている側頭下顎関節の人工補綴であって、該関節窩部は、金属材料で作られた関節窩支持体（１８）と、非金属材料で作られ、且つ該関節接合を規定する為に該顆部（１４）のヘッド（５６）の座部を規定するところの関節窩挿入体（２０）とを備え、該関節窩支持体は、該関節窩挿入体が開口部（２８）を通じてハウジング中に挿入可能であるところの該開口部（２８）を有する該ハウジング（２６）を規定し、該開口部は、該関節窩支持体（１８）の外側（Ｅ）に開口し、該関節窩支持体は、該関節窩挿入体（２０）の該ハウジングへの挿入及び該ハウジングからの抜き取りをそれぞれ許容及び禁止するところの受動位置に且つ能動位置に設定可能な該タブ（４０）を備えている、上記側頭下顎関節の人工補綴に関する。【選択図】図２
2020507442.tif 000002
【特許請求の範囲】
【請求項１】
関節窩部（１２）と、使用位置において前記関節窩部に相対的に関節接合されるよう意図された顆部（１４）とを備えている、側頭下顎関節の人工補綴であって、前記使用位置で前記関節窩部及び前記顆部はそれぞれ患者の側頭骨及び下顎骨に堅固に固定されており、
前記関節窩部は、
金属材料で作られた関節窩支持体（１８）と、
非金属材料で、好ましくはポリマー材料で、作られ、且つ前記関節接合を規定する為に前記顆部（１４）のヘッド（５６）の座部を規定するところの関節窩挿入体（２０）と、
を備え、
前記関節窩支持体（１８）は、前記関節窩挿入体（２０）が開口部（２８）を通じてハウジング中に挿入可能であるところの前記開口部（２８）を有する前記ハウジング（２６）を規定し、前記開口部（２８）は、前記関節窩支持体（１８）の外側（Ｅ）に開口し、前記外側とは、前記使用位置において前記患者の皮膚に向けて配位される、前記関節窩支持体の側であり、
前記関節窩支持体（１８）は、タブ（４０）が前記関節窩挿入体（２０）の前記ハウジングへの挿入及び前記ハウジングからの抜き取りをそれぞれ許容及び禁止するところの受動位置に且つ能動位置に設定可能な前記タブ（４０）を備えている、
前記側頭下顎関節の人工補綴。
【請求項２】
前記関節窩支持体（１８）が、前記タブ（４０）の前記受動位置で前記関節窩挿入体（２０）の前記ハウジング内及び外へのスライドを案内するように構成されたスライドガイド（３２）を備えている、請求項１に記載の人工補綴。
【請求項３】
前記スライドガイドがレールである、請求項２に記載の人工補綴。
【請求項４】
前記タブ（４０）が塑性変形可能であり、好ましくは塑性曲げ可能である、請求項１〜３のいずれか１項に記載の人工補綴。
【請求項５】
前記関節窩支持体が、前記関節窩挿入体（２０）の前記ハウジング（２６）への挿入を制限する底部（３０）を備えている、請求項１〜４のいずれか１項に記載の人工補綴。
【請求項６】
前記関節窩挿入体（２０）が挿入体ねじ穴（４８）を備え、前記関節窩支持体が支持体ねじ穴（５０）を備え、前記挿入体ねじ穴及び支持体ねじ穴は、前記関節窩挿入体が前記ハウジング内にあって前記底部（３０）と接触しているときに、組立ねじが前記挿入体ねじ穴（４８）及び前記支持体ねじ穴（５０）と交差して前記関節窩挿入体と前記関節窩支持体を組み立てるように構成された、請求項５に記載の人工補綴。
【請求項７】
前記挿入体ねじ穴（４８）は、前記使用位置において前記患者の皮膚に面する前記挿入体の面（５１）に開口する、請求項６に記載の人工補綴。
【請求項８】
前記タブ（４０）は、好ましくは道具なしで、手動で変形可能である、請求項１〜７のいずれか１項に記載の人工補綴。
【請求項９】
前記タブ（４０）が、前記能動位置で前記開口部（２８）を少なくとも部分的に閉鎖する、請求項１〜８のいずれか１項に記載の人工補綴。
【請求項１０】
前記関節窩支持体（１８）が、骨細胞によるコロニー形成をより容易にするように、前記使用位置で前記側頭骨と接触するように構成された格子状体を備えている、請求項１〜９のいずれか１項に記載の人工補綴。
【請求項１１】
前記関節窩支持体がチタン若しくはチタン合金製であり、及び／又は前記関節窩挿入体がポリエチレン製である、請求項１〜１０のいずれか１項に記載の人工補綴。
【請求項１２】
前記顆部が、前記患者の下顎の頚状部（Ｎ）を圧迫するように構成された第１のストッパ（６０）、及び／又は前記下顎骨の枝（Ｒ）を圧迫するように構成された第２のストッパ（６２）を備えている、請求項１〜１１のいずれか１項に記載の人工補綴。
【請求項１３】
請求項１〜１２のいずれか１項に記載の人工補綴を組み立てる為の方法であって、
ａ）前記関節窩挿入体（２０）を前記ハウジング（２６）に、好ましくは前記関節窩挿入体（２０）が前記ハウジング（２６）の底部（３０）に当接するまで、挿入すること、ここで、前記タブ（４０）は前記受動位置にある、
ｂ）前記ハウジング（２６）に相対的に前記関節窩挿入体（２０）を固定するように前記タブ（４０）を前記能動位置に置くこと
を含む、前記方法。
【請求項１４】
ステップｂ）の後に下記のステップ
ｃ）前記顆部（１４）が前記関節窩挿入体（２０）と適合するか否かの試験をすること、
ｄ）適合しない場合、前記タブ（４０）を受動位置に置き、前記関節窩挿入体（２０）を前記ハウジング（２６）から抜き取り、前記関節窩挿入体（２０）を前記顆部（１４）によりよく適合するように調整し、前記調整した関節窩挿入体（２０）を前記ハウジング（２６）に挿入し、前記タブ（４０）を能動位置に置き、そしてステップｃ）を再開すること、
ｅ）前記関節窩挿入体（２０）を前記関節窩支持体（１８）に、好ましくは組み立てねじで、堅固に固定すること
を含む、請求項１３に記載の方法。
【発明の詳細な説明】
【技術分野】
【０００１】
本発明は、側頭下顎関節の人工補綴、及びそのような人工補綴を組み立てる為の方法に関する。
【背景技術】
【０００２】
側頭下顎関節の人工補綴、すなわち「顎関節（ＴＭＪ：temporo-mandibular  joint）」、は、従来、関節窩部と、関節窩部に関節接合された顆部とを備えている。使用位置において、上記関節窩部は患者の側頭骨に堅固に固定され、上記顆部は下顎骨に堅固に固定されている。
【０００３】
金属粒子が患者に放出されるのを防ぐ為に、上記関節窩部と上記顆部との間での金属と金属の接触を避ける必要がある。しかしながら、上記関節窩部は、上記側頭骨への効率的且つコンパクトな固定の為に金属製である方が有利である。
【０００４】
さらに、効率的な関節接合を確実に行う為に、上記関節窩部と顆部はそれぞれ、上記側頭骨と上記下顎骨に極めて正確に固定されなければならない。
【０００５】
これらの制約に対して、少なくとも部分的に答える解決策が必要である。
【発明の開示】
【発明が解決しようとする課題】
【０００６】
本発明は、そのような解決策を提供することを目的とする。
【課題を解決するための手段】
【０００７】
この目的の為に、本発明は、請求項１に記載の人工補綴を提供する。
【０００８】
さらに詳細な説明において記載されるように、上記関節窩挿入体に非金属材料、特に高分子材料、を使用することは、上記関節窩部と上記顆部との間の摩擦による金属粒子の放出を回避する。
【０００９】
さらに、上記関節窩支持体が上記側頭骨に固定され、且つ上記顆部が上記下顎骨に固定されてしまってから、上記関節窩挿入体は上記関節窩支持体に固定されうる。従って、使用位置で上記顆部に完全に適合する関節窩挿入体を選択することが可能である。
【００１０】
最後に、タブの位置の簡単な変更だけで、上記関節窩挿入体は上記関節窩支持体に対して簡単に固定されうる。これは、上記関節窩挿入体の最終的な固定を容易にする。
【００１１】
好ましくは、本発明に従う人工補綴は、請求項１に従属する請求項の１つ又は幾つかの任意的な特徴を備えている。
【００１２】
本発明はまた、請求項１１に記載の人工補綴を組み立てる方法に関する。
【００１３】
好ましくは、本発明に従う方法は、請求項１０に従属する請求項の１つ又は幾つかの任意の特徴を含む。
【００１４】
本発明はまた、間接窩部と、該関節窩部に相対的に関節接合されるよう意図された顆部とを備えている、側頭下顎関節の人工補綴であって、使用位置で上記関節窩部及び上記顆部はそれぞれ患者の側頭骨及び下顎骨に堅固に固定されており、上記顆部は、上記患者の下顎骨の頚状部を圧迫するように構成された第１のストッパと、上記下顎骨の枝を圧迫するよう構成された第２のストッパとを備えている、上記人工補綴に関する。
【００１５】
有利には、上記顆部は、極めて高い精度で上記下顎骨に相対的に容易に配置されることができる。操作者は上記下顎骨の上記頚状部に上記第１のストッパを置き、上記下顎骨の上記枝に上記第２のストッパが当接するまで上記顆部を前後方向に回転させればよい。
【００１６】
本発明は、以下の詳細な説明を読み、その例示的且つ非限定的な実施形態を参照し、添付の図面を検討することにより、よりよく理解されるだろう。
【図面の簡単な説明】
【００１７】
【図１】図１は、分解された状態の、本発明に従う人工補綴を示す図である。
【図２】図２は、組み立てられた状態の該人工補綴を示す図である。
【発明を実施するための最良の形態】
【００１８】
定義
「患者」は、本発明に従う人工補綴を受ける生体、特に人間、である。
「備えている」は、特に明記されていない限り、その広い且つ非限定的な意味で理解されるべきである。
【００１９】
上記図は、関節窩部１２及び顆部１４を備えている人工補綴１０を示す。
【００２０】
上記関節窩部１２は、関節窩支持体１８と関節窩挿入体２０とを備えている。
【００２１】
上記関節窩支持体１８は、金属材料で作られており、好ましくはチタン又はチタン合金で作られている。
【００２２】
上記関節窩支持体１８は、側頭骨に固定されることを意図された支持体アンカー板２２を備えている。好ましくは、上記支持体アンカー板は、そこを通じて関節窩アンカーねじが上記側頭骨まで貫通される関節窩アンカー穴２４を備えている。
【００２３】
好ましい実施形態において、上記支持体アンカー板は格子状体であり、それは、骨の再成長及び細胞定着をより早くする。
【００２４】
上記関節窩支持体１８は、上記関節窩挿入体２０を受け入れるように構成されたハウジング２６を備えている。
【００２５】
より正確には、上記ハウジング２６は、それを通じて上記関節窩挿入体２０が上記ハウジング２６に挿入されることができる開口部２８を備えている。
【００２６】
上記ハウジング２６は、上記開口部２８に対向して底部３０を備えている。
【００２７】
上記ハウジング２６はまた、引き出しがタンスの中でスライドするように、上記関節窩挿入体がその上をスライド可能な２本のガイドレール３２を備えている。
【００２８】
上記ハウジング２６は上記関節窩支持体１８の外側に開口しており、すなわち頬に向かって開口しており、上記底部３０は頭蓋基底の内側部分、すなわち内側、に向けられている。図２では、上記外側と上記内側はそれぞれ「Ｅ」と「Ｉ」で示される。この配置は、上記関節窩挿入体２０の上記ハウジング２６への挿入をかなり容易にする。
【００２９】
好ましくは、上記外側Ｅは、上記関節窩支持体の上記支持体アンカー板２２が延在する側である。
【００３０】
本発明に従うと、上記関節窩支持体１８はまた、図１及び図２にそれぞれ示されるように、受動位置と能動位置との間で塑性変形可能なタブ４０を備えている。従って、上記タブ４０は、上記受動位置及び上記能動位置でその形状を保つ。上記受動位置（図１）では、上記タブ４０は、上記関節窩挿入体２０の上記ハウジング２６への挿入を妨げることも、上記ハウジング２６からの抜き取りを妨げることもない。
【００３１】
上記能動位置（図２）において、上記タブ４０は、上記関節窩挿入体２０の上記ハウジングへの挿入を妨げるか、又は図２に示されるような使用位置において、上記ハウジングからの抜き取りを妨げる。好ましくは、上記関節窩挿入体が上記ハウジング２６に挿入される場合に、上記タブは上記能動位置に保たれ、上記関節窩挿入体２０は上記ハウジングの上記底部３０と接触している。
【００３２】
好ましい実施形態において、上記タブは、好ましくは工具なしで、上記受動位置から上記能動位置に手動で変形可能に構成されている。
【００３３】
一つの実施形態において、上記タブ４０は、好ましくは上記ハウジング２６とともに、上記支持体アンカー板２２と一体的に形成されている。
【００３４】
上記タブ４０の曲げを容易にするように、弱化線４２が好ましくは設けられている。上記弱化線は、局所的に厚さを減少させること及び／又は穴をあけることによって形成されうる。
【００３５】
上記関節窩挿入体２０は好ましくは、ポリマー材料、好ましくはポリエチレン、で作られている。上記関節窩挿入体２０は、上記顆部１４のヘッド５６を受容するよう意図された支持面４４を規定する。上記支持面４４は好ましくは、凹状であり、好ましくは実質的に球状である。
【００３６】
上記関節窩挿入体２０はまた、上記関節窩部１８の上記ガイドレール３２と協働するように構成された２本の横溝４６を備えている。
【００３７】
最後に、上記関節窩挿入体２０は、挿入体ねじ穴４８を備えており、それは上記関節窩挿入体が上記ハウジング２６の上記底部３０と接触したときに、対応する支持体ねじ穴５０に面する。上記使用位置において、組立ねじが、上記挿入体ねじ穴４８、上記関節窩支持体１８、上記支持体ねじ穴５０を通じて上記関節窩挿入体２０と交差して、好ましくは上記側頭骨に貫通する。好ましくは、上記挿入体ねじ穴４８は、上記挿入体の上記外面５１に、すなわち上記使用位置で皮膚に面する面に、開口している。
【００３８】
上記顆部１４は、上記支持面４４を圧迫するように意図されたヘッド５６を支持する顆部アンカー板５２を備えている。上記顆部アンカー板５２は、顆部アンカーねじを用いて上記顆部アンカー板５２を上記下顎骨に固定する為の顆部アンカー穴５８を備えている。
【００３９】
上記顆部アンカー板２２はまた、第１及び第２のストッパ６０、６２を備えている。有利には、上記ストッパ６０、６２は、上記下顎骨への上記顆部の位置決めをはるかに容易にする。
【００４０】
例示的な実施形態において、上記第２のストッパ６２は、上記顆部アンカー板５２を好ましくは口の内側に向かって曲げることにより得られる。上記第１のストッパは、上記顆部アンカー板５２に溶接されている。
【００４１】
本発明に従う人工補綴の上記異なるパーツの組み立ては好ましくは、以下の通りである。
【００４２】
上記関節窩アンカー板５２及び上記顆部アンカー板５２は、上記関節窩アンカー穴２４及び上記顆部アンカー穴５８とそれぞれ交差する上記関節窩及び顆部アンカーねじで、患者の上記側頭骨及び上記下顎骨にそれぞれ固定されている。
【００４３】
上記ストッパ６０及び６２は、上記下顎骨に上記顆部１４を固定する前に、上記下顎骨上のちょうどよい位置を見つけるのに役立つ。より正確には、上記操作者はまず、切断された上記下顎骨の頚状部Ｎに上記第１のストッパ６０を置く。これは、高さ方向Ｈに沿った上記顆部１４の位置を定義する。次に、上記操作者は、上記第２のストッパ６２が上記下顎骨の枝Ｒに当接するまで、上記顆部１４を前後方向に動かして回転させる。
【００４４】
次に、上記操作者は、上記関節窩挿入体２０を押して、上記２本の溝４６の内側の上記２本のレール３２にそれぞれ係合させる。次に、上記操作者は、好ましくは上記関節窩挿入体２０が上記底部３０に当接するまで、上記レール３２上で上記関節窩挿入体２０を上記底部３０に向かって押す。有利には、上記ハウジング２６が上記外側Ｅに向かって開口しているため、上記関節窩挿入体２０の挿入が容易になる。
【００４５】
次に、上記操作者は、上記タブ４０を上記受動位置（図１）から上記能動位置（図２）に曲げ、そこで上記タブ４０は少なくとも部分的に上記ハウジング２６の上記開口部２８を横切って伸びる。上記タブ４０は、上記能動位置（図２）において、上記関節窩挿入体２０を圧迫し、従って、上記関節窩挿入体２０は上記底部３０と上記タブ４０との間に固定された状態に保たれる。横方向では、上記関節窩挿入体は、上記ガイドレール３２と上記溝４６の協働によって維持されている。上記操作者はこれによって、上記タブ４０を用いて、上記関節窩支持体１８に対して上記関節窩挿入体２０を固定する。
【００４６】
次に、上記操作者は、上記顆部の上記ヘッド５６と上記関節窩挿入体２０の上記支持面４４が完璧に正しく協働しているかどうかの試験をする。
【００４７】
正しく協働していない場合、上記操作者は、上記受動位置まで上記タブ４０を反対方向に曲げることができる。次に、上記操作者は上記関節窩挿入体を取り出し、それを調整する、すなわち修正又は交換して、上記顆部１４の上記ヘッド５６に対し、より適合するようにすることができる。
【００４８】
有利には、上記操作者は、どの挿入体部品も上記関節窩支持体１８に最終的な固定をすることなく、異なる関節窩挿入体２０を容易に試すことができる。
【００４９】
結果的に、上記操作者は、上記顆部１４と完全に適合する関節窩挿入体２０を見つけることができる。
【００５０】
上記操作者は、ちょうどよい関節窩挿入体２０を見つけたら、上記挿入体ねじ穴４８及び支持体ねじ穴５０と交差するように、好ましくは上記側頭骨の内側で、組み立てねじを押し込む。上記組立ねじを用いての上記関節窩挿入体２０の最終的な固定は、上記関節窩挿入体２０を上記タブ４０で動かないようにすることにより容易になる。
【００５１】
最後に、上記顆部１４と協働する上記関節窩挿入体２０は非金属製、好ましくは高分子材料製、である故に、金属と金属の摩擦がなく、それは有利には上記患者の口の中での金属粒子の放出が回避する。
【００５２】
今明らかになったように、本発明は、患者のニーズに完全に適合するまで容易に試されることができ且つ使用中に金属粒子の放出を一切引き起こさないところの人工補綴を提供する。
【００５３】
当然ながら、本発明は、開示且つ提示された実施形態に限定されず、例示的且つ非限定的な例としてのみ提供される。
【図１】
2020507442.tif 000003
【図２】
2020507442.tif 000004
【国際調査報告】
2020507442.tif 000005
2020507442.tif 000006